(57)【要約】【課題】  載置面積を拡げることなく表示面部の個数を簡単に増減させることができるサインスタンドを提供することを目的とする。【解決手段】  表示面部３を有する看板体２が支持台１に立設された支柱９の上方に１個以上配設されている。さらに、看板体２は支柱９の上端部に着脱自在であり、かつ、各看板体２は互いに垂直方向に連結可能に構成されているものである。【選択図】  図１
2006293231.tif 000002
【特許請求の範囲】
【請求項１】
表示面部（３）を有する看板体（２）が支持台（１）に立設された支柱（９）の上方に１個以上配設され、該看板体（２）は上記支柱（９）の上端部に着脱自在であり、かつ、各看板体（２）は互いに垂直方向に連結可能に構成されていることを特徴とするサインスタンド構造。
【請求項２】
表示面部（３）を有する看板体（２）が支持台（１）に立設された支柱（９）の上方に１個以上配設され、該看板体（２）は上記支柱（９）の上端部に着脱自在であり、かつ、各看板体（２）は互いに垂直方向に連結可能に構成され、さらに、上記支柱（９）の上端部に上方突状の取付部（４）を有し、最上位置に配設される看板体（２）以外の看板体（２）の上端部には上方突状の差込部（５）を突設し、全ての看板体（２）の下端部には上記支柱（９）の取付部（４）又は自分以外の看板体（２）の上記差込部（５）が挿入されて嵌合可能な挿入孔（６）を具備することを特徴とするサインスタンド構造。
【請求項３】
上記支柱（９）の取付部（４）の横断面形状と、上記看板体（２）の差込部（５）及び挿入孔（６）のそれぞれの横断面形状が、円形以外の形状に形成されている請求項２記載のサインスタンド構造。
【請求項４】
上記支柱（９）の上部には、複数個の支柱（９）間に懸架されるロープやチェーン等の仕切部材（８）の端部が掛けられるフック（７）が付設されている請求項１，２又は３記載のサインスタンド構造。
【発明の詳細な説明】
【技術分野】
【０００１】
本発明は、サインスタンド構造に関する。
【背景技術】
【０００２】
所望の場所に載置可能なサインスタンド（立脚看板）として、支持台に立設された枠体に宣伝や広告の文字や図が表示される表示面部を付設したものがあった（例えば、特許文献１参照）。
【特許文献１】特開平７−２９５４９０号公報
【発明の開示】
【発明が解決しようとする課題】
【０００３】
しかし、従来のサインスタンドに於て、宣伝・広告の内容を追加したい場合は、別個にサインスタンドを用意しなければならなかった。さらに、載置面積が限られている場合は、新たに別のサインスタンドを設置することは困難であった。
そこで、本発明は、載置面積を拡げることなく表示面部の個数を簡単に増減させることができるサインスタンドを提供することを目的とする。
【課題を解決するための手段】
【０００４】
上記目的を達成するために、本発明に係るサインスタンド構造は、表示面部を有する看板体が支持台に立設された支柱の上方に１個以上配設され、該看板体は上記支柱の上端部に着脱自在であり、かつ、各看板体は互いに垂直方向に連結可能に構成されている。
【０００５】
また、表示面部を有する看板体が支持台に立設された支柱の上方に１個以上配設され、該看板体は上記支柱の上端部に着脱自在であり、かつ、各看板体は互いに垂直方向に連結可能に構成され、さらに、上記支柱の上端部に上方突状の取付部を有し、最上位置に配設される看板体以外の看板体の上端部には上方突状の差込部を突設し、全ての看板体の下端部には上記支柱の取付部又は自分以外の看板体の上記差込部が挿入されて嵌合可能な挿入孔を具備するものである。
【０００６】
また、上記支柱の取付部の横断面形状と、上記看板体の差込部及び挿入孔のそれぞれの横断面形状が、円形以外の形状に形成されているものである。
【０００７】
また、上記支柱の上部には、複数個の支柱間に懸架されるロープやチェーン等の仕切部材の端部が掛けられるフックが付設されている。
【発明の効果】
【０００８】
本発明は、次のような著大な効果を奏する。
本発明に係るサインスタンド構造によれば、表示面部の個数を簡単に増減させることができる。
また、看板体を垂直方向に連結できるので、載置面積を拡げずに表示面部を増やすことができる。
さらに、複数個の看板体の上下配設位置を簡単に変更することができ、宣伝・広告の表示に変化を与え易い。
【発明を実施するための最良の形態】
【０００９】
以下、実施の形態を示す図面に基づき本発明を詳説する。
図１と図２に於て、地面に載置される支持台１に支柱９が立設され、支柱９の上方には表示面部３を有する３個の看板体２が設けられている。各看板体２は、支柱９の上端部に着脱自在であり、かつ、互いに垂直方向に連結可能に構成されている。また、この看板体２の個数は３個に限らず、支柱９の上方に１個以上設けられていればよい（図６及び図８参照）。
【００１０】
支柱９の上端部には上方突状の取付部４を有し、最上位置に配設される看板体２ａ以外の看板体２ｂ，２ｃの上端部には上方突状の差込部５が突設されている。さらに、全ての看板体２ａ，２ｂ，２ｃの下端部には、支柱９の取付部４又は自分以外の看板体２の差込部５が挿入されて嵌合可能な挿入孔６が形成されている。
以下、最上位置に配設される看板体２ａを、上方看板体２ａといい、その上方看板体２ａの下方に配設される２個の看板体２ｂ，２ｃを、中間看板体２ｂ、下方看板体２ｃという。
【００１１】
上方看板体２ａは、中央に円形の孔部10を有する円環状の本体部11ａを有し、本体部11ａはブロー成形にて中空に形成されている。
また、中間看板体２ｂ及び下方看板体２ｃは、ブロー成形された角が丸い長方形の本体部11ｂ，11ｃを有し、その本体部11ｂ，11ｃの中央近傍（中央より下方位置）には角が丸い長方形の孔部10が形成されている。
【００１２】
図３に於て、上方看板体２ａの本体部11ａの下端部、及び、中間看板体２ｂと下方看板体２ｃの本体部11ｂ，11ｃの下端縁の中間部には、下方突状の短筒部材12が突設されている。そして、短筒部材12の下端から各本体部11の孔部10へと貫通する挿入孔６が設けられている。さらに、中間看板体２ｂと下方看板体２ｃの上端縁の中間部には、受座部13が突設され、受座部13は上方に連結される短筒部材12の下端と当接するようになっている。受座部13の上面には差込部５が突設され、差込部５の上端部に雄ねじ部14が形成されている。そして、上方看板体２ａの挿入孔６には、中間看板体２ｂの差込部５が挿入され、中間看板体２ｂの挿入孔６には、下方看板体２ｃの差込部５が挿入されている。
【００１３】
また、支柱９に突設された取付部４の上端部には雄ねじ部16が形成され、この取付部４は下方看板体２ｃの挿入孔６に挿入されている。なお、支柱９の上端部の外周径は、取付部４の下端部の外周径より大きく形成され、下方看板体２ｃの短筒部材12の下端と支柱９の上端部は当接するようになっている。
また、差込部５と取付部４は、挿入孔６に挿入し易いように上方縮径状に形成されている。
【００１４】
各挿入孔６に挿入された差込部５及び取付部４の雄ねじ部14，16は、挿入孔６の上端から孔部10内へ突出しており、その雄ねじ部14，16には、ナット部材15が螺合し締結している。ナット部材15は、軟質樹脂製又はゴム製のワッシャ17を介して孔部10を形成する周縁部18の下端縁に当接している。
各看板体２は前後両面に広告・宣伝の内容が表示される表示面部３，３を有し、各看板体２に取り付けられるナット部材15やワッシャ17は、孔部10を有する本体部11と前後の表示面部３，３とで包囲される収納空間Ｓ内に配置されている。
【００１５】
支柱９の取付部４の断面形状と、看板体２の差込部５及び挿入孔６のそれぞれの横断面形状は、円形以外の形状に形成されている。この取付部４と差込部５と挿入孔６の横断面形状の一例を図４に於て説明する。
図４（ａ）は、図１に於けるＡ−Ａ断面図であり、下方看板体２ｃ（の短筒部材12）が有する挿入孔６内には、支柱９の取付部４が挿入され嵌合されている。
図４（ｂ）は、その取付部４と下方看板体２ｃの短筒部材12の拡大断面図であり、取付部４の外周面には、外方突状の凸部19が等ピッチで（90°毎に）４個形成されている。また、挿入孔６を形成する内周面には、取付部４の凸部19と嵌合する凹部20が形成されている。
また、差込部５と取付部４とは、同一形状・同一寸法に形成されており、看板体２ｂ，２ｃの差込部５の断面形状も、差込部５の外周面には、外方突状の凸部27が等ピッチで４個形成されている。なお、上方看板体２ａ及び中間看板体２ｂのそれぞれの挿入孔６を形成する内周面にも、下方看板体２ｃと同様に、凹部20が形成されている。つまり、上方突状の取付部４と差込部５とは、全ての看板体２の挿入孔６に挿入して嵌合可能となっている。
【００１６】
図１と図２に於て、上方看板体２ａの表示面部３ａは、円板状であり、４個の止め具21にて本体部11ａに取り付けられている。図５に示すように、止め具21は略Ｊ字型に形成され、ねじで本体部11ａに付設されている。
また、中間看板体２ｂ及び下方看板体２ｃのそれぞれの表示面部３ｂ，３ｃは、正面視長方形の突状カバー体であり、前後両側に突出して配設されている。各表示面部３ｂ，３ｃは、その４つの角部にてねじ等で本体部11ｂ，11ｃに取り付けられている。
【００１７】
図６と図７に於て、支柱９の上部には、複数個の支柱９間に懸架されるロープやチェーン等の仕切部材８の端部が掛けられるフック７が付設されている。
フック７は、図４（ａ）に示すように、支柱９の外周面に等ピッチで（90°毎に）突設される４個の台座部22と、台座部22の先端部に立設されると共に仕切部材８の端部が掛けられる棒状部材23と、から成っている。
【００１８】
図９に於て、支持台１と支柱９とを分離して運搬し易いように、支柱９は支持台１に着脱自在に取り付けられている。
支柱９の下部には、下方縮径状のテーパ部30を有している。さらに、支柱９は、テーパ部30から下端へ向かって、雄ねじ状に形成された取着部31と、取着部31と逆ねじ状に形成された締結部28と、を順次有している。
また、略半球状の支持台１にはその上端面から底面へと貫通する貫通孔24が形成され、貫通孔24の上部には、支柱９のテーパ部30が差し込まれる下方縮径状の軸受部25を有している。さらに、貫通孔24は、その軸受部25の下方に、支柱９の取着部31と螺合する雌ねじ状の取付孔部32と、取付孔部32の下端から支持台１の底面へ向かってテーパ状に拡がる拡大開口孔部26と、を有している。支柱９の下端部の締結部28は、拡大開口孔部26内へ突出して配設され、拡大開口孔部26内で締付ナット29が締結部28に螺合し取り付けられている。
支柱９の取着部31と締結部28とが逆ねじ状に形成されているので、支柱９は支持台１に強固に取り付けられている。つまり、支持台１に対し支柱９を外すように回転させた場合、締付ナット29は締結部28にさらに締め付けられるので弛みにくいものとなっている。
また、支柱９の下方縮径状のテーパ部30が、下方縮径状の軸受部25に差し込まれているので、支柱９は支持台１にふらつかずに安定して取付可能となっている。
【００１９】
また、図４（ａ）に示すように、支持台１は平面視にて丸みを帯びた六角形に形成され、支柱９・支持台１・締付ナット29は、ブロー成形にて中空に形成されている。
さらに、支持台１の重量を重くして安定して載置するために、支持台１は、その中空の内部に水を貯める貯水部と、その貯水部へ水を出し入れするための給排水口を有している（図示省略）。
【００２０】
また、本発明のサインスタンド構造は設計変更自由であり、看板体２の差込部５と挿入孔６を上下逆の位置に配設して、看板体２の下端部に下方突状の差込部５を突設し、看板体２の上端部に自分以外の看板体２の差込部５が挿入されて嵌合可能な挿入孔６を設けてもよい。さらに、全ての看板体２が差込部５と挿入孔６とを有していれば、（最上位置に配設される看板体２も含めて）全ての看板体２の配置変更を自由に行うことが可能となり、かつ、差込部５が外部から見えることもない。この場合、最上位置に配設される看板体２の挿入孔６だけは、上方から雨等が入らないよう蓋部材にて施蓋することが好ましい。  また、フック７を省略してもよい。
【００２１】
上述した本発明であるサインスタンド構造の使用方法（作用）について説明する。
図８に示すのは、支柱９の上方に看板体２を２個配設した状態であり、支柱９の上端部には長方形の下方看板体２ｃが取り付けられ、下方看板体２ｃの上端部には円形の上方看板体２ａが取り付けられている。
図８に示す状態から看板体２を増やす場合、例えば、上方看板体２ａと下方看板体２ｃの間に、中間看板体２ｂを取り付ける場合（図１参照）について説明する。
上方看板体２ａの前後どちらか一方の表示面部３ａを本体部11ａから取り外す。そして、下方看板体２ｃの差込部５ｃに締結されているナット部材15ａを外して、上方看板体２ａの本体部11ａを持ち上げて、挿入孔６ａから差込部５ｃを引き抜く。
次に、図１に於て、中間看板体２ｂの挿入孔６ｂに下方看板体２ｃの差込部５ｃが差し込まれるようにして、中間看板体２ｂを下方看板体２ｃの上方に取り付ける。中間看板体２ｂの一方の表示面部３ｂを本体部11ｂから取り外し、差込部５ｃにナット部材15ｂを締結して、表示面部３ａを本体部11ｂに取り付ける。また、この表示面部３ｂは予め取り外されていてもよい。
さらに、上方看板体２ａの挿入孔６ａに中間看板体２ｂの差込部５ｂが差し込まれるようにして、中間看板体２ｂの上方に上方看板体２ａを取り付ける。そして、差込部５ｂにナット部材15ａを締結し、表示面部３ａを本体部11ａに取り付けて、図１に示すようなサインスタンド構造が完成する。
【００２２】
以上のように、本発明のサインスタンド構造は、表示面部３を有する看板体２が支持台１に立設された支柱９の上方に１個以上配設され、看板体２は支柱９の上端部に着脱自在であり、かつ、各看板体２は互いに垂直方向に連結可能に構成されているので、表示面部３の個数を簡単に増減させることができる。
また、看板体２を垂直方向に連結できるので、載置面積を拡げずに表示面部３を増やすことができる。
さらに、複数個の看板体２の上下配設位置を簡単に変更することができ、宣伝・広告の表示に変化を与え易い。
【００２３】
また、表示面部３を有する看板体２が支持台１に立設された支柱９の上方に１個以上配設され、看板体２は支柱９の上端部に着脱自在であり、かつ、各看板体２は互いに垂直方向に連結可能に構成され、さらに、支柱９の上端部に上方突状の取付部４を有し、最上位置に配設される看板体２以外の看板体２の上端部には上方突状の差込部５を突設し、全ての看板体２の下端部には支柱９の取付部４又は自分以外の看板体２の差込部５が挿入されて嵌合可能な挿入孔６を具備するので、表示面部３の個数を簡単に増減させることができる。
また、看板体２を垂直方向に連結できるので、載置面積を拡げずに表示面部３を増やすことができる。
さらに、複数個の看板体２の上下配設位置を簡単に変更することができ、宣伝・広告の表示に変化を与え易い。
また、差込部５と取付部４は挿入孔６に挿入されて連結されるので、外部から差込部５と取付部４が見えない。従って、美観上も優れたものとなり、宣伝・広告の効果を十分に発揮させることができる。
【００２４】
また、支柱９の取付部４の横断面形状と、看板体２の差込部５及び挿入孔６のそれぞれの横断面形状が、円形以外の形状に形成されているので、支柱９と看板体２、及び、看板体２どうしを、軸心方向に回転するのを防止して安定して連結することができる。
【００２５】
また、支柱９の上部には、複数個の支柱９間に懸架されるロープやチェーン等の仕切部材８の端部が掛けられるフック７が付設されているので、仕切柵や安全柵等のポールとして使用できる。
【図面の簡単な説明】
【００２６】
【図１】本発明の第１の実施の形態を示す正面図である。
【図２】側面図である。
【図３】要部正面図である。
【図４】平面図であって、（ａ）は図１に於けるＡ−Ａ断面図、（ｂ）は要部拡大断面図である。
【図５】要部拡大断面図である。
【図６】正面図である。
【図７】要部正面図である。
【図８】正面図である。
【図９】一部破断にて示した正面図である。
【符号の説明】
【００２７】
１  支持台
２  看板体
３  表示面部
４  取付部
５  差込部
６  挿入孔
７  フック
８  仕切部材
９  支柱
【図１】
2006293231.tif 000003
【図２】
2006293231.tif 000004
【図３】
2006293231.tif 000005
【図４】
2006293231.tif 000006
【図５】
2006293231.tif 000007
【図６】
2006293231.tif 000008
【図７】
2006293231.tif 000009
【図８】
2006293231.tif 000010
【図９】
2006293231.tif 000011